(57)【要約】【課題】  オペレーティングシステム（ＯＳ）の表示色設定の違いに起因してアプリケーションデータの文字や線が認識しづらくなるという問題が発生してしまっていた。【解決手段】  アプリケーションデータの保存処理がされる際に、データ保存時のＯＳの表示色設定をアプリケーションデータと関連付けて保存する。そして、当該アプリケーションデータが再度開かれた場合に、アプリケーションデータに関連付けて保存されていたＯＳの表示色設定を適用する。【選択図】  図６
2009157464.tif 000002
【特許請求の範囲】
【請求項１】
アプリケーションデータファイルが作成された際のオペレーティングシステムの表示色設定を示す表示色情報を、前記アプリケーションデータファイルを関連付けて記憶する第一の記憶手段と、
アプリケーションデータファイルに前記表示色情報が関連付けられているかを判断する判断手段と、
前記判断手段により表示色設定が関連付けられていると判断した場合に、前記オペレーティングシステムの表示色設定を前記表示色情報に基づく表示色設定になるよう制御する表示色制御手段と、
を備えることを特徴とする情報処理装置。
【請求項２】
前記アプリケーションデータファイルと当該アプリケーションデータファイルが開かれているアプリケーションウィンドウを関連付けて記憶する第二の記憶手段と、
アクティブウィンドウとなっている前記アプリケーションウィンドウの変更を検出する第一の検出手段とを更に備え、
前記判断手段は、前記第一の検出手段によりアクティブウィンドウの変更を検出した場合、前記アクティブウィンドウとなったアプリケーションウィンドウに関連付けられているアプリケーションデータファイルに前記表示色設定が対応付けられているかを判断することを特徴とする請求項１に記載の情報処理装置。
【請求項３】
前記オペレーティングシステムの表示色設定は、少なくとも背景色設定及び文字色設定のいずれか１つを含むことを特徴とする請求項１または２に記載の情報処理装置。
【請求項４】
アプリケーションデータファイルの移動を検出する第二の検出手段と、
前記第二の検出手段で移動を検出したアプリケーションデータファイルの表示色情報との関連付けが前記第一の記憶手段に記憶されている場合に、その関連付けを当該ファイルの移動先情報に基づいて変更する変更手段と、
を備えることを特徴とする請求項１乃至３のいずれか１項に記載の情報処理装置。
【請求項５】
前記第二の検出手段で移動を検出したアプリケーションデータファイルの移動先が他の情報処理装置の記憶装置であった場合に、前記他の情報処理装置に前記アプリケーションデータファイルに関連付けられている表示色情報を送信する送信手段を更に備え、
前記変更手段は、前記第一の記憶手段から当該アプリケーションデータファイルと関連付けられている前記表示色情報を削除することを特徴とする請求項４に記載の情報処理装置。
【請求項６】
アプリケーションプログラムへの印刷プレビュー表示指示を検出する第三の検出手段を更に備え、
前記表示色制御手段は、前記第三の検出手段で印刷プレビュー指示を検出した場合には、前記表示色情報にかかわらず、前記オペレーティングシステムの表示色設定の背景色が無色、文字色が黒になるよう制御すること、
を特徴とする請求項１乃至５のいずれか１項に記載の情報処理装置。
【請求項７】
アプリケーションデータファイルが作成された際のオペレーティングシステムの表示色設定を示す表示色情報を、前記アプリケーションデータファイルを関連付けて記憶装置に記憶する第一の記憶工程と、
アプリケーションデータファイルに前記表示色情報が関連付けられているかを判断する判断工程と、
前記判断工程で表示色設定が関連付けられていると判断した場合に、前記オペレーティングシステムの表示色設定を前記表示色情報に基づく表示色設定になるよう制御する表示色制御工程と、
を備えることを特徴とする情報処理方法。
【請求項８】
請求項７に記載の情報処理方法をコンピュータに実行させるためのプログラム。
【発明の詳細な説明】
【技術分野】
【０００１】
本発明は、アプリケーションデータの表示技術に関し、特に、オペレーティングシステムで異なる表示色設定がされているコンピュータ間でアプリケーションデータの表示色を統一させる表示技術に関する。
【背景技術】
【０００２】
多くの文書作成アプリケーションプログラムや表計算アプリケーションプログラムでは、ユーザの好みに応じて文字や背景のディスプレイ装置への表示色を任意に設定することが可能である。この機能を利用することで、ユーザは様々な表示を行うことが可能になる。例えば強調したい部分の文字色を他の文字色と異ならせることでその部分を強調することが可能である。
【０００３】
このような文字色や背景色の設定は、アプリケーションプログラムで行うことも可能であるが、オペレーティングシステム（ＯＳ）で設定を行うことも可能である。ＯＳで行った場合には、設定された文字や背景の色が全てのアプリケーションデータに対して適用されるデフォルトの色設定が行われることになる。
【０００４】
であるので、例えばＯＳで設定されている背景色を白ではなくグレーにすることで目の疲労度を和らげたりすることが一般的に行われている。通常、アプリケーションプログラムである文字や背景の色を指定した場合にはそちらが優先されて適用され、アプリケーションプログラムで文字や背景の色設定を指定しない場合（「自動」や「無色」）には、その文字や背景にはＯＳの設定色が適用される。
【０００５】
上記のようにアプリケーションプログラムやＯＳで背景や文字を任意の色に設定を行うことが出来るので、ユーザが背景色と文字色とを視認性が悪い設定をしてしまう可能性がある。上記のような問題に対処すべく、特許文献１や特許文献２に記載の技術が開示されている。
【０００６】
これらは文字色の変更時に、変更後の文字色と現在の背景色を比較し、それらが同一、または同系であれば変更を中止、または色の補正を行い、また、背景色の変更時に、変更後の背景色と現在の文字色を比較し、それらが同一、または同系であれば変更を中止、または色の補正を行うように動作するものである。
【特許文献１】特開平０２−０９３５８７号公報
【特許文献２】特開平０８−２１１８６０号公報
【発明の開示】
【発明が解決しようとする課題】
【０００７】
しかし、通常アプリケーションプログラムで作成されたデータは複数のコンピュータ間で送受信が行われる。あるコンピュータでの色の重複を防いだとしても、全てのコンピュータに対しての色の重複を防げるとは言えない。
【０００８】
というのは、アプリケーションプログラムで設定された色設定は、そのアプリケーションプログラムのファイル保存機能で保存されるアプリケーションデータファイルに反映されるため、どのコンピュータでそのファイルを開いてもその色設定が反映されるが、ＯＳでの表示色設定はアプリケーションデータファイルには反映されず、ファイルを開いた夫々のコンピュータで設定されているＯＳ表示色設定が有効になるからである。
【０００９】
ユーザもアプリケーションデータを作成する際に、どの箇所がアプリケーションの色設定が適用されており、どの部分がＯＳの色設定がされているか全てを認識しているわけではない。そのために、ＯＳでの表示色設定が異なるコンピュータ間で同一のアプリケーションデータの文字や線が認識しづらくなるという問題が発生してしまっていた。
【００１０】
例えばＯＳの背景色の設定が異なるコンピュータ間であるコンピュータで作成したアプリケーションデータ（背景の設定色はＯＳが有効）の一部文字色（アプリケーション設定）が他のコンピュータの背景色（ＯＳ設定）と同一の色、もしくは同系の色である場合、その文字は色の重複のため認識できなくなってしまうというものである。この問題は複数のコンピュータ間に限らず、当然同一のコンピュータであってもＯＳの表示色設定の変更した場合には発生してしまう問題である。
【００１１】
また、印刷プレビュー時の表示色と実際に印字される色（ＯＳの標準設定の背景色、文字色を「自動」や「無色」に設定していた場合、背景色は無色（印字されない）、文字色は黒で印字される）が違う場合、印刷プレビューでは重複していない色が、実際に印刷してみると重複してしまうという問題もあった。
【００１２】
本発明は、上記した課題に鑑み、アプリケーションデータの最終保存時とその最終保存後に開かれた時とでＯＳの表示色設定が異なる場合に、保存時の表示色設定でデータの表示を行うことが可能な情報処理システム、情報処理装置、情報処理方法及びプログラムを提供することを目的とする。
【００１３】
また、印刷プレビュー時に実際に印刷に使用される色で印刷プレビューを行うことが可能な情報処理システム、情報処理装置、情報処理方法及びプログラムを提供することを目的とする。
【課題を解決するための手段】
【００１４】
上記した課題を解決するために、本発明の請求項１に記載の情報処理装置は以下の構成を備える。
【００１５】
即ち、アプリケーションデータファイルが作成された際のオペレーティングシステムの表示色設定を示す表示色情報を、前記アプリケーションデータファイルを関連付けて記憶する第一の記憶手段と、アプリケーションデータファイルに前記表示色情報が関連付けられているかを判断する判断手段と、前記判断手段により表示色設定が関連付けられていると判断した場合に、前記オペレーティングシステムの表示色設定を前記表示色情報に基づく表示色設定になるよう制御する表示色制御手段とを備えることを特徴とする。
【００１６】
上記した課題を解決するために、本発明の請求項６に記載の情報処理装置は以下の構成を備える。即ち、請求項１乃至５のいずれか１項に記載の情報処理装置であって、アプリケーションプログラムへの印刷プレビュー表示指示を検出する第三の検出手段を更に備え、前記表示色制御手段は、前記第三の検出手段で印刷プレビュー指示を検出した場合には、前記表示色情報にかかわらず、前記オペレーティングシステムの表示色設定の背景色が無色、文字色が黒になるよう制御することを特徴とする。
【００１７】
上記した課題を解決するために、本発明の請求項７に記載の情報処理方法は以下の構成を備える。即ち、アプリケーションデータファイルが作成された際のオペレーティングシステムの表示色設定を示す表示色情報を、前記アプリケーションデータファイルを関連付けて記憶装置に記憶する第一の記憶工程と、アプリケーションデータファイルに前記表示色情報が関連付けられているかを判断する判断工程と、前記判断工程で表示色設定が関連付けられていると判断した場合に、前記オペレーティングシステムの表示色設定を前記表示色情報に基づく表示色設定になるよう制御する表示色制御工程とを備えることを特徴とする。
【発明の効果】
【００１８】
本発明によれば、ＯＳの表示色設定が異なるコンピュータ間においてファイルの共有を行った場合でも、どのコンピュータで当該ファイルを参照しても当該ファイルが作成されたコンピュータのＯＳの表示色設定が適用されるので、異なるコンピュータ間でのアプリケーションデータの表示色を統一できる。
【００１９】
また、特に本発明の請求項６の発明によれば、印刷プレビュー表示時に印刷時に使用される色を適切に表示することが可能になる。
【発明を実施するための最良の形態】
【００２０】
以下、図面を参照して、本発明の情報処理システムの一例について説明する。
【００２１】
図１は、本発明における情報処理システムの一例を示す図である。１０１−１、１０１−２は情報処理装置であって（以下まとめて「情報処理装置１０１」という）、ワープロアプリケーションプログラムや表計算アプリケーションプログラムがインストールされており、文書の作成等を行う。１０２はＬＡＮ（Ｌｏｃａｌ  Ａｒｅａ  Ｎｅｔｗｏｒｋ）等のネットワークであり、情報処理装置１０１−１及び１０１−２を通信可能に相互接続する。このネットワーク１０２を介して、情報処理装置１０１−１及び１０１−２で作成されたデータの送受信が行われることになる。
【００２２】
１０３はインターネット等の広域ネットワークである。１０４−１乃至１０４−３は情報処理端末であって、広域ネットワーク１０３を介して情報処理装置１０１と電子メールの送受信等の通信を行うことが可能な情報処理端末である。
【００２３】
図２は、図１の情報処理装置１０１のハードウェア構成の一例を示す図である。２０１はＣＰＵであり、ＲＡＭ２０２やＲＯＭ２０３に格納されているプログラムやデータを用いて、端末（コンピュータ）全体の制御を行うとともに、本コンピュータを適用する情報処理装置１０１が行う後述する各処理を実行する。
【００２４】
２０２はＲＡＭであり、ＨＤＤ（ハードディスクドライブ）２０４からロードされたプログラムやデータを一時的に記憶するためのエリアを有するとともに、ＣＰＵ２０１が各種処理を行うために使用するワークエリアを備える。
【００２５】
２０３はＲＯＭであり、コンピュータのブートプログラムやＢＩＯＳ等の各種プログラムを記憶している。２０４はＨＤＤ（ハードディスクドライブ）であり、ＯＳ（オペレーティングシステム）や、本コンピュータを適用する情報処理装置１０１が行う後述の処理をＣＰＵ２０１に実行させるためのプログラムやデータ等の各種データを保存しており、これらは必要に応じてＣＰＵ２０１の制御によりＲＡＭ２０２に読み出され実行されることになる。
【００２６】
２０５は記録媒体ドライブであり、ＣＤ−ＲＯＭ、ＣＤ−Ｒ／ＲＷ、ＤＶＤ―ＲＯＭ、ＤＶＤ−Ｒ／ＲＷ、ＤＶＤ−ＲＡＭ等に記録されている各種データを取得する。
【００２７】
２０６はネットワークＩ／Ｆ（インタフェース）であり、コンピュータをネットワーク１０２に接続するためのものである。コンピュータは、このネットワークＩ／Ｆ２０６を介してネットワーク上の他の機器とデータ通信を行うことが可能である。
【００２８】
２０７はキーボード、２０８はポインティングデバイスであり、各種の指示をＣＰＵ２０１に入力することができる。これらは、入力部として機能する。２０９はビデオＩ／Ｆ（インタフェース）であり、ここにディスプレイ装置２１０を接続する。ディスプレイ装置２１０はＣＲＴや液晶画面等で構成されており、ビデオＩ／Ｆ２０９を介して送られた信号に基づいて、文字や画像等の情報を表示画面上に表示する機能を有する。
【００２９】
２１１は外部機器Ｉ／Ｆ（インタフェース）であり、コンピュータに周辺機器を接続させるためのポートである。この外部機器Ｉ／Ｆ２１１を介してコンピュータは、周辺機器とのデータの送受信を行うことが可能である。
【００３０】
ＳＣＳＩ、ＵＳＢ、ＩＥＥＥ１３９４等の各種インタフェースで構成することが可能であり、通常複数の外部機器Ｉ／Ｆ２１１を有する。また、周辺機器との接続形態は有線／無線を問わない。２１２はシステムバスであり、上述の各種構成要素を相互に接続するバスとして機能する。
【００３１】
図３は本発明の情報処理装置１０１の機能構成の一例を示す図である。
【００３２】
図３において、情報処理装置１０１は、ＯＳ表示色設定記録部３０１、ＯＳ表示色制御部３０２、表示色設定情報記録部３０３、動作アプリケーション管理部３０４、ファイル情報管理部３０５、電子メール監視部３０６を有している。
【００３３】
ＯＳ表示色設定記録部３０１は、情報処理装置１０１のＯＳの表示色設定を記録する機能を備えており、ＯＳの表示色設定がユーザの入力指示により変更された場合には、その情報を更新する機能もあわせて備えている。
【００３４】
ＯＳ表示色制御部３０２は、ユーザの入力指示によりアクティブウィンドウの変更や印刷プレビュー指示を検出した場合にＯＳの表示色設定を変更する機能を備えている。表示色設定情報記録部３０３は、各アプリケーションデータに関連付けられたＯＳの表示色設定や、印刷プレビュー時に適用するＯＳの表示色設定情報を記録する機能や、ファイルの移動やコピー、他のコンピュータからのファイル受信があった場合にＯＳの表示色設定情報の追加を行う機能を備えている。
【００３５】
動作アプリケーション管理部３０４は、動作しているアプリケーションのアクティブ／非アクティブ表示状態や当該アプリケーションで編集されているアプリケーションデータファイルの状態、当該アプリケーションが印刷プレビュー表示状態であるか否かについてを管理する機能を備えている。
【００３６】
ファイル情報管理部３０５は、情報処理装置１０１で管理しているアプリケーションデータファイルに対して移動処理、コピー指示がなされたか、また他のコンピュータからデータファイルの移動やコピーが行われたかについて管理する機能を備えている。
【００３７】
電子メール監視部は、添付ファイルを有する電子メールの送受信が行われたかについて管理する機能を備えている。
【００３８】
本発明の詳細な処理の説明を行う前に、あらためて本発明が解決しようとする課題について図１３を参照して説明する。
【００３９】
図１３は本発明が解決しようとする課題を説明するための図である。
【００４０】
アプリケーションデータが作成・保存されたコンピュータ１３００−１ではＯＳの表示色設定が文字色：赤、背景色：濃いグレー、コンピュータ１３００−１で作成されたアプリケーションデータの表示を行うコンピュータ１３００−２のＯＳの表示色設定が文字色：黒、背景色：白（無色）だった場合を仮定する。
【００４１】
アプリケーションデータ作成時にコンピュータ１３００−１を操作するユーザが「やゆよ」１３０１を強調させるために、他の箇所とは異なる文字色（例えば黄色）にアプリケーションプログラムの機能を用い変更したとする。
【００４２】
その他の箇所はＯＳの設定が適用されている。このデータをコンピュータ１３００−１から１３００−２に移動させそのファイルを開いた場合に、ＯＳの表示色設定はコンピュータ１３００−１から１３００−２に引き継がれないために、コンピュータ１３００−２ではＯＳの設定色が設定されている背景色は白、ＯＳの文字色設定されている文字については黒で表示されることになる。
【００４３】
一方アプリケーションの機能で変更された文字色についてはこの設定を引き継ぐことになるので、コンピュータ１３００−２でも黄色で表示されることになる（「やゆよ」１３０１−２）。この際に、背景色の白と文字色の黄色ともに輝度が高くなってしまうので、視認性が悪くなってしまうという課題が発生する。本発明はこのような課題を解決するためになされたものである。
【００４４】
図４は本発明の情報処理装置１０１が行う処理を示すフローチャートである。
【００４５】
本処理は、ＣＰＵ２０１の制御に従ってＨＤＤ２０４からＲＡＭ２０２にロードされたプログラムに基づいた処理を、ＣＰＵ２０１が各種データを使用しながら行うことで情報処理装置１０１は実行することになる。
【００４６】
まず、ＣＰＵ２０１は例えばコンピュータ起動時に当該コンピュータのＯＳの表示色設定（背景色、文字色等）を取得して、ＲＡＭ２０２に記録する（ステップＳ４０１）。このステップで取得されたＯＳの表示色設定は本来この情報処理装置１０１で設定されているＯＳの表示色設定である（以後このＯＳの表示色設定を「デフォルト設定」という）。
【００４７】
その後ＣＰＵ２０１は、ファイルの保存指示（ステップＳ４０２）、ファイルを開く指示（ステップＳ４０４）、印刷プレビュー指示（ステップＳ４０６）、アクティブウィンドウの変更指示（ステップＳ４０８）、ファイルの移動・コピー指示（ステップＳ４１０）、メール送信指示（ステップＳ４１２）、ＯＳの表示色設定の変更指示（ステップＳ４１４）を示すイベントの通知待ち状態に移行する。
【００４８】
ＣＰＵ２０１は、アプリケーションプログラムでファイルを保存する指示を検出した場合には（ステップＳ４０２でＹＥＳ）、ファイル保存時の処理を行うことになる（ステップＳ４０３）。この処理の詳細については図５を参照して後述する。ＣＰＵ２０１は、アプリケーションプログラムでファイルを開く指示を検出した場合には（ステップＳ４０４でＹＥＳ）、ファイルを開く時の処理を行うことになる（ステップＳ４０５）。この処理の詳細については図６を参照して後述する。
【００４９】
ＣＰＵ２０１は、アプリケーションプログラムで印刷プレビュー指示を検出した場合には（ステップＳ４０６でＹＥＳ）、印刷プレビュー時の処理を行うことになる（ステップＳ４０７）。この処理の詳細については図７を参照して後述する。ＣＰＵ２０１は、アクティブウィンドウの変更指示を検出した場合には（ステップＳ４０８でＹＥＳ）、アクティブウィンドウの変更処理を行う（ステップＳ４０９）。この処理の詳細については、図８を参照して後述する。
【００５０】
ＣＰＵ２０１は、ファイルの移動又はコピー指示を検出したと判断した場合（ステップＳ４１０でＹＥＳ）、ファイル移動・コピー時の処理を行うことになる（ステップＳ４１１）。この処理の詳細については、図９を参照して後述する。
【００５１】
ＣＰＵ２０１は、電子メールアプリケーションにおいてメールの送信指示を検出したと判断した場合（ステップＳ４１２でＹＥＳ）、電子メール送信時の処理を行うことになる（ステップＳ４１３）。この処理の詳細については、図１０を参照して後述する。
【００５２】
ＣＰＵ２０１は、ＯＳの表示色設定の変更指示を検出したと判断した場合（ステップＳ４１４でＹＥＳ）、変更されたＯＳの表示色設定を取得してＲＡＭ２０２に記録することにより、ＲＡＭ２０２に記録されているＯＳの表示色設定の変更を行う。以上の処理を、コンピュータの終了指示が行われるまで（ステップＳ４１６でＹＥＳ）まで行われることになる。
【００５３】
図５は、図４のステップＳ４０３の情報処理装置１０１がファイル保存指示をを検出した場合に行う処理（ファイル保存時の処理）の詳細を示すフローチャートである。本処理は、ＣＰＵ２０１の制御に従ってＨＤＤ２０４からＲＡＭ２０２にロードされたプログラムに基づいた処理を、ＣＰＵ２０１が各種データを使用しながら行うことで情報処理装置１０１は実行することになる。
【００５４】
まず、保存指示を受けたアプリケーションプログラムが当該アプリケーションプログラムで編集されていたファイルの保存を行う。その後、ファイル保存時に情報処理装置１０１のＯＳの表示色設定を取得する（ステップＳ５０１）。そして、ステップＳ５０１で取得したＯＳの表示色設定に従って、アプリケーションプログラムで保存されたファイルの表示色設定ファイルを作成し保存する（ステップＳ５０２）。
【００５５】
その後、図１１に示す関連付けテーブルにアプリケーションデータのパスとＳ５０２で保存した表示色設定ファイルのパスを関連付けて保存する（ステップＳ５０３）。以上が、情報処理装置１０１がファイル保存時に行う処理である。本処理を行うことで、保存ファイル作成時のＯＳの表示色設定が保存されることになる。表示色設定ファイルには表示色設定情報として少なくともファイル保存時のＯＳの背景色設定、文字色設定が記録されることになる。そして本発明ではこの表示色設定情報をＯＳの表示色設定に反映させることにより、課題の解決を行っている。
【００５６】
図１１は関連付けテーブルの一例を示す図である。関連付けテーブル１１００には、アプリケーションデータのパス情報１１０１と表示色設定ファイルパス１１０２が登録されている。
【００５７】
アプリケーションデータのパス情報１１０１には、アプリケーションデータのパス情報が登録されており、表示色設定ファイルパス１１０２にアプリケーションデータのパス情報で示されるアプリケーションデータに関連する表示色設定ファイルのパス情報が登録されている。
【００５８】
ＣＰＵ２０１はこのテーブルを参照することで編集しようとする（編集中の）アプリケーションデータに表示色設定ファイルが関連付けられているかを判断することになる。
【００５９】
図６は、図４のステップＳ４０５の情報処理装置１０１がファイルを開く指示を検出した場合に行う処理（ファイルを開く時の処理）の詳細を示すフローチャートである。
【００６０】
本処理は、ＣＰＵ２０１の制御に従ってＨＤＤ２０４からＲＡＭ２０２にロードされたプログラムに基づいた処理を、ＣＰＵ２０１が各種データを使用しながら行うことで情報処理装置１０１は実行することになる。
【００６１】
まず、ＣＰＵ２０１は、開かれようとしているファイルに表示色設定ファイルが関連付けられているかを、関連付けテーブル１１００を参照し判断する（ステップＳ６０１）。
【００６２】
そして、関連付けられていると判断した場合には（ステップＳ６０１でＹＥＳ）、対応付けられている表示色設定ファイル中の表示色設定情報を取得し、デフォルト設定と異なるかを判断する（ステップＳ６０２）。デフォルト設定と異なる場合には（ステップＳ６０２でＹＥＳ）、ＯＳの表示色設定を表示色設定ファイルが示す表示色設定に変更する（ステップＳ６０３）。
【００６３】
一方、開かれようとしているファイルに表示色設定ファイルが対応付けられていないと判断した場合には（ステップＳ６０１でＮＯ）、現在のＯＳの表示色設定がデフォルト設定と異なるかを判断することになる（ステップＳ６０４）。
【００６４】
この処理はステップＳ４０１で取得し、若しくはステップＳ４１５で変更しＲＡＭ２０２に記憶されているＯＳ表示色設定と現在のＯＳ表示色設定とから判断することになる。この判断処理でデフォルト設定と異なると判断した場合には（ステップＳ６０４でＹＥＳ）、ＯＳの表示色設定をデフォルト設定に変更する（ステップＳ６０５）。
【００６５】
ステップＳ６０２でＮＯと判断した場合、ステップＳ６０３の処理終了後、ステップＳ６０４でＮＯと判断した場合、及びステップＳ６０５の処理終了後、ＣＰＵ２０１は図１１に示すウィンドウ管理テーブルに、アプリケーションプログラムのウィンドウ画面（以下、「アプリケーションウィンドウ」と言う）を一意に示す識別情報と、開かれたファイルパスとを関連付けて登録する。
【００６６】
なお、新規にファイルを作成する場合には、ＯＳの表示色設定をデフォルト設定に戻すことになる。
【００６７】
この処理によって、アプリケーションデータの表示処理を行う際に、当該データの最終保存時の表示色設定をＯＳの表示色設定として適用した表示処理を行うことが可能となる。このことにより、ＯＳの表示色設定の違いによる文字や線の視認性が悪くなってしなうという問題を解決している。
【００６８】
また、最終保存時の表示色情報が関連付けられていないアプリケーションデータや新規に作成されようとしているファイルについてはもともと当該コンピュータを使用するユーザが設定したＯＳの表示色設定が適用されるので、当該ユーザは自身がデータを作成する際には同一のＯＳの表示色設定で作業を行うことが可能である。
【００６９】
図１２はウィンドウ管理テーブルの一例を示す図である。
【００７０】
ウィンドウ管理テーブル１２００には、ウィンドウＩＤ１２０１、編集中アプリケーションデータパス情報１２０２、印刷プレビュー１２０３が登録されており、ウィンドウＩＤ１２０１にはアプリケーションウィンドウを一意に示す識別情報が、編集中のアプリケーションデータパス情報１２０２には編集中のファイルのパス情報が、印刷プレビュー１２０３には当該ウィンドウで印刷プレビューが表示されているかと示す情報（図１２の場合には「○」。ブランクの場合は印刷プレビュー状態ではないことを示す）が登録されている。
【００７１】
このウィンドウ管理テーブルで管理されているウィンドウ管理データはアプリケーションプログラムが起動されることで、及び新たにファイルが開かれることで作成され追加されることになる。編集中アプリケーションデータパス情報１２０２が登録されていないものは新規作成により編集されていることを示しており、編集中のデータが保存処理された場合には保存されたファイルのパス情報が登録されることになる。
【００７２】
また、編集中のファイルを別ファイルとして保存した場合には編集中アプリケーションデータパス情報１２０２が新たに保存された別ファイルの情報に置き換わる。そして、アプリケーションプログラムが閉じられると、そのアプリケーションウィンドウのウィンドウ管理データがウィンドウ管理テーブル１２００から削除される。
【００７３】
図７は、図４のステップＳ４０７の情報処理装置１０１が印刷プレビュー指示を検出した場合に行う処理（印刷プレビュー時の処理）の詳細を示すフローチャートである。本処理は、ＣＰＵ２０１の制御に従ってＨＤＤ２０４からＲＡＭ２０２にロードされたプログラムに基づいた処理を、ＣＰＵ２０１が各種データを使用しながら行うことで情報処理装置１０１は実行することになる。印刷プレビュー表示指示若しくは印刷プレビュー表示終了指示を検出した場合にこの処理が実行される。
【００７４】
まず、ＣＰＵ２０１は、受け付けた指示が印刷プレビューの表示指示であるか表示終了指示であるかを判断する（ステップＳ７０１）。表示指示を受けたと判断した場合には（ステップＳ６０１で「表示」）、ＯＳの表示色設定の文字色を黒に、背景色を白（無色）に設定する。
【００７５】
例えばＷｉｎｄｏｗｓ（登録商標）系のＯＳの場合、プリンタからデータを印刷する際にはＯＳの背景色、文字色の設定にかかわらず、背景色は白（無色：印刷を行わない）、文字色は黒として印刷されるが、通常印刷プレビューの場合にはＯＳの表示色設定が反映された形でのプレビュー表示が行われてしまうので、印刷時の色を正確に表示できないでいた。
【００７６】
そのため本発明ではこのようにＯＳの表示色設定を変えることで印刷時の色を正確に表示できるようにしている。その後、印刷プレビューを受けたアプリケーションウィンドウの印刷プレビュー１２０３を印刷プレビュー状態であることを示す情報に変更する（ステップＳ７０３）。
【００７７】
一方、受け付けた指示が印刷プレビューの表示終了指示であると判断した場合には（ステップＳ７０１で「閉じる」）、印刷プレビューの終了指示を受けたアプリケーションで編集中のアプリケーションデータに表示色設定が関連付けられているかを図１１の関連付けテーブル、図１２のウィンドウ管理テーブルを参照することで判断する（ステップＳ７０４）。
【００７８】
関連付けられていると判断した場合には（ステップＳ７０４でＹＥＳ）、ＯＳの表示設定色を関連付けられている表示設定色ファイルが示す設定色情報に変更する（ステップＳ７０５）。関連付けられていないと判断した場合には（ステップＳ７０４でＮＯ）、ＯＳの表示色設定をデフォルト設定に戻す（ステップＳ７０６）。
【００７９】
その後、当該アプリケーションウィンドウの印刷プレビュー１２０３をブランク状態に変更する（ステップＳ７０７）。ステップＳ７０３若しくはステップＳ７０７の処理終了後、アプリケーションプログラムの制御に従って表示処理が行われることになる（ステップＳ７０８）。
【００８０】
この処理によって、印刷プレビュー時には実際に印刷が行われる際の色情報に基づいて印刷プレビューの表示を行うことが可能になる。また、印刷プレビューが終了した場合には、データ最終保存時のＯＳの表示色設定に戻るので、データ編集処理を一定の表示色設定で行うことが可能になる。
【００８１】
図８は、図４のステップＳ４０９の情報処理装置１０１がアクティブウィンドウの変更指示を検出した場合に行う処理（アクティブウィンドウ変更時の処理）の詳細を示すフローチャートである。本処理は、ＣＰＵ２０１の制御に従ってＨＤＤ２０４からＲＡＭ２０２にロードされたプログラムに基づいた処理を、ＣＰＵ２０１が各種データを使用しながら行うことで情報処理装置１０１は実行することになる。
【００８２】
まずＣＰＵ２０１は、新たにアクティブウィンドウに変更されようとしているアプリケーションウィンドウに印刷プレビューが表示されているかをウィンドウ管理テーブル１２００に従って判断する（ステップＳ８０１）。印刷プレビューが表示されている（印刷プレビュー１２０３が「○」）と判断した場合（ステップＳ８０１でＹＥＳ）、ＯＳの表示色設定の文字色を黒、背景色を白に設定する（ステップＳ８０２）。
【００８３】
一方、印刷プレビュー表示状態ではないと判断した場合には（ステップＳ８０１でＮＯ）、当該アクティブウィンドウに変更されるアプリケーションウィンドウで編集されているアプリケーションデータに表示色設定ファイルが関連付けられているかを、関連付けテーブル１１００、ウィンドウ管理テーブル１２００に従って判断する（ステップＳ８０３）。
【００８４】
ここで、表示色設定ファイルが関連付けられていると判断した場合には（ステップＳ８０３でＹＥＳ）、関連付けられている表示色設定ファイルが示す表示色情報にＯＳの表示色設定を変更する（ステップＳ８０４）。表示色設定ファイルが関連付けられていないと判断した場合には（ステップＳ８０３でＮＯ）、ＯＳの表示色設定をデフォルト設定する（ステップＳ８０５）。
【００８５】
ステップＳ８０２、ステップＳ８０４、若しくはステップＳ８０５の処理によるＯＳの表示色設定の終了後、アプリケーションプログラムの制御に従って表示処理が行われることになる（ステップＳ８０６）。
【００８６】
この処理により、編集対象となっている（アクティブウィンドウとなっている）アプリケーションで編集中のアプリケーションデータが最終保存された際のＯＳの表示色設定適用されることになるので、データの編集を行う際に、データ最終保存時とデータ編集時のＯＳの表示色設定の違いにより発生してしまう可能性がある文字等の視認性の悪化を好適に防ぐことが可能となる。
【００８７】
図９は、図４のステップＳ４１１の情報処理装置１０１がファイルの移動及びコピー指示を検出した場合に行う処理（ファイル移動・コピー時の処理）の詳細を示すフローチャートである。本処理は、ＣＰＵ２０１の制御に従ってＨＤＤ２０４からＲＡＭ２０２にロードされたプログラムに基づいた処理を、ＣＰＵ２０１が各種データを使用しながら行うことで情報処理装置１０１は実行することになる。
【００８８】
この処理は、あるコンピュータで作成されたアプリケーションデータが他のコンピュータに移動された場合に、それらコンピュータ間でのＯＳの表示色設定の違いにより発生する可能性があるアプリケーションデータの編集中の文字等の視認性の悪化を防止するために行うものである。
【００８９】
まず、移動指示若しくはコピー指示がされたアプリケーションデータファイル（以下「対象ファイル」という。）に表示色設定ファイルが関連付けられているかを関連付けテーブル１１００に従って判断する（ステップＳ９０１）。関連付けられていないと判断した場合には（ステップＳ９０１でＮＯ）、通常のファイル移動処理（又はコピー処理）を行い、本処理を終了する。
【００９０】
表示色設定ファイルが関連付けられていると判断した場合には（ステップＳ９０１でＹＥＳ）、ファイルの移動指示であるかそれともコピー指示であるかを判断する（ステップＳ９０２）。ファイルの移動指示であった場合には（ステップＳ９０２でＹＥＳ）、対象ファイルの移動先が情報処理装置１０１のＨＤＤ２０４内であるか、それとも他の情報処理装置の記憶装置（若しくは情報処理装置１０１の可搬記憶媒体）であるかを判断する（ステップＳ９０３）。
【００９１】
対象ファイルの移動先が情報処理装置１０１内であると判断した場合には（ステップＳ９０３でＹＥＳ）、対象ファイルの関連付けデータのアプリケーションデータパス情報１１０１を移動先のパス情報に変更する（ステップＳ９０４）。そして本処理を終了する。
【００９２】
対象ファイルの移動先が他の情報処理装置の記憶装置（若しくは情報処理装置１０１の可搬記憶媒体）であるとＣＰＵ２０１が判断した場合には（ステップＳ９０３でＮＯ）、対象ファイルに関連付けられている表示色設定ファイルを取得し（ステップＳ９０５）、対象ファイルの移動先のパス情報と、ステップＳ９０５で取得した表示色設定ファイルとを含む関連付けデータを作成する（ステップＳ９０６）。
【００９３】
そして、ステップＳ９０５で取得した表示色設定ファイルとステップＳ９０６で作成した関連付けデータを対象ファイルの移動先となった情報処理装置に送信する（若しくは可搬記録媒体に記録する）（ステップＳ９０７）。
【００９４】
その後、ステップＳ９０５で取得した表示色設定ファイルに関連付けられている他のアプリケーションデータファイルが対象ファイル以外にあるかを関連付けテーブル１１００に従って判断する（ステップＳ９０８）。
【００９５】
ここで、対象ファイル以外に関連付けられているアプリケーションデータファイルがないと判断した場合には（ステップＳ９０８でＮＯ）、当該表示色設定ファイルを削除する（ステップＳ９０９）。
【００９６】
そして、ステップＳ９０８でＹＥＳと判断した場合若しくはステップＳ９０９の処理終了後、関係付けテーブル１１００中の対象ファイルの関係付けデータを削除する（ステップＳ９１０）。そして本処理を終了する。
【００９７】
ステップＳ９０２の判断処理において、ＣＰＵ２０１が指示された処理はコピー処理であると判断した場合には（ステップＳ９０２で「コピー」）、対象ファイルのコピー先が情報処理装置のＨＤＤ２０４内であるか、それとも他の情報処理装置の記憶装置（若しくは情報処理装置１０１の可搬記憶媒体）であるかを判断する（ステップＳ９１１）。
【００９８】
対象ファイルのコピー先が当該情報処理装置１０１のＨＤＤ２０４であると判断した場合には（ステップＳ９１１でＹＥＳ）、関係付けテーブルに対象ファイルのコピー先のパス情報をアプリケーションデータパス情報１１０１に登録したデータを追加し（ステップＳ９１２）、そのデータの表示色設定ファイルパス情報にコピー元に設定されていたファイルパス情報を登録する（ステップＳ９１３）。そして、本処理を終了する。
【００９９】
対象ファイルのコピー先が他の情報処理装置の記憶装置（若しくは情報処理装置１０１の可搬記憶媒体）であるとＣＰＵ２０１が判断した場合には（ステップＳ９１１でＮＯ）、対象ファイルに関連付けられている表示色設定ファイルを取得し（ステップＳ９１４）、対象ファイルの移動先のパス情報と、ステップＳ９１４で取得した表示色設定ファイルとを含む関連付けデータを作成する（ステップＳ９１５）。
【０１００】
そして、ステップＳ９１４で取得した表示色設定ファイルとステップＳ９１５で作成した関連付けデータを対象ファイルのコピー先となった情報処理装置に送信する（若しくは可搬記録媒体に記録する）（ステップＳ９１６）。そして、本処理を終了する。
【０１０１】
他の情報処理装置から表示色設定ファイル及び関係付けデータを受信した（若しくは表示色設定ファイル及び関連付けデータが記憶された可搬記録媒体が記録媒体ドライブ２０５に挿入された、外部機器Ｉ／Ｆ２１１に接続された）場合には（ステップＳ９３１）、表示色設定データの保存処理を行い（可搬記録媒体の場合は行わなくとも良い）（ステップＳ９３２）、受信した（可搬記憶媒体に記憶されている）関連付けデータに従って、移動若しくはコピーされた対象ファイルのパス情報及び表示色設定データのパス情報を関連付けテーブルに追加する（ステップＳ９３３）。
【０１０２】
本処理によれば、アプリケーションデータファイルを作成した情報処理装置とは別の情報処理装置にアプリケーションデータファイルが移動やコピーされる際に、表示色設定ファイルと関連付けデータもあわせて送ることになるので、ファイルの移動先（コピー先）となったコンピュータにおいてもアプリケーションデータファイル時のＯＳの表示色設定を適用してアプリケーションデータの表示を行うことが可能となる。
【０１０３】
よって、異なるＯＳの表示色設定がされている情報処理装置間であっても、アプリケーションデータファイルの表示色設定を統一させることが可能となる。
【０１０４】
尚、データ移動、コピー先となる情報処理装置に図５乃至図１０の処理を行うためのプログラムが記録されていない場合には、必ずしも本発明を行わなくても良い。
【０１０５】
図１０は、図４のステップＳ４１３の情報処理装置１０１が電子メールの送信指示を受けた場合に行う処理（メール送信時の処理）の詳細を示すフローチャートである。本処理は、ＣＰＵ２０１の制御に従ってＨＤＤ２０４からＲＡＭ２０２にロードされたプログラムに基づいた処理を、ＣＰＵ２０１が各種データを使用しながら行うことで情報処理装置１０１は実行することになる。
【０１０６】
この処理は、あるコンピュータで作成されたアプリケーションデータが電子メールで他のコンピュータに対して送信された場合に（例えば情報処理装置１０１から外部端末１０４−１乃至１０４−３に対して）、データを作成したコンピュータ（情報処理装置１０１）と電子メールを受信したコンピュータ（外部端末１０４−１乃至１０４−３）間でのＯＳの表示色設定の違いにより発生する可能性があるアプリケーションデータの編集中の文字等の視認性の悪化を防止するために行うものである。
【０１０７】
まず、ＣＰＵ２０１は送信指示された電子メールに添付ファイルが設定されているかを判断する（ステップＳ１００１）。添付ファイルが設定されていないと判断した場合には（ステップＳ１００１でＮＯ）、ステップＳ１００６に移行する。添付ファイルが設定されていると判断した場合には（ステップＳ１００１でＹＥＳ）、添付ファイルが表示色設定ファイルに関連付けられているかを関連付けテーブルに従って判断する（ステップＳ１００２）。添付ファイルに表示色設定ファイルが関連付けられていないと判断した場合には（ステップＳ１００２でＮＯ）、ステップＳ１００６に移行する。
【０１０８】
添付ファイルに表示色設定ファイルが関連付けられていると判断した場合には（ステップＳ１００２でＹＥＳ）、添付ファイルに関連付けられている表示色設定ファイル（複数の添付ファイルが表示色設定ファイルに関連付けられている場合は全ての表示色設定ファイル）を取得し（ステップＳ１００３）、添付ファイルと表示色設定ファイルから関連付けデータを作成する（ステップＳ１００４）。そして表示色設定ファイル及び関連付けデータを当該電子メールの添付ファイルに追加する（ステップＳ１００５）。その後、電子メール送受信アプリケーションの制御に従って電子メールの送信処理が行われる（ステップＳ１００６）。
【０１０９】
一方、電子メールを受信した（ステップＳ１０１１）場合には、情報処理装置１０１は受信した電子メールに添付ファイルがあるかを判断する（ステップＳ１０１２）。受信した電子メールの添付ファイルに関係付けデータが含まれているかを判断する（ステップＳ１０１３）。
【０１１０】
ここで、関係付けデータが含まれていると判断した場合には（ステップＳ１０１３でＹＥＳ）、当該関連付けデータに基づいて電子メールの添付ファイルに関する関連付けデータを関連付けテーブルに追加登録する（ステップＳ１０１４）。
【０１１１】
本処理の説明は電子メールの送信を例にして行ったが、ＦＴＰやＨＴＴＰを用いたファイル通信に本処理を適用することももちろん可能である。また、電子メール等で送信される表示色設定ファイルが関連付けられたアプリケーションデータファイルが圧縮されている場合には、その圧縮データに表示色設定ファイルを含ませるようにしてデータを作成しても勿論良い。
【０１１２】
本処理によれば、アプリケーションデータファイルを作成した情報処理装置とは別の情報処理装置から他の情報処理装置に対してアプリケーションデータファイルを電子メールに添付して送信した場合でも、表示色設定ファイルと関連付けデータもあわせて送ることになるので、電子メールの送信先となったコンピュータにおいてもアプリケーションデータファイル時のＯＳの表示色設定を適用してアプリケーションデータの表示を行うことが可能となる。
【０１１３】
よって、異なるＯＳの表示色設定がされている情報処理装置間であっても、アプリケーションデータファイルの表示色設定を統一させることが可能となる。
【０１１４】
尚、アプリケーションデータファイルが圧縮処理される場合に、当該アプリケーションデータに色設定情報が関連付けられている場合、表示色設定ファイルを含めて圧縮ファイルを作成する等しても勿論良い。
【０１１５】
また、表示色設定ファイルに対して削除指示を受け付けた場合には、その削除指示を無効にしても勿論かまわない。削除指示を有効にした場合には、当該削除指示を受けた表示色設定ファイルに関連付けられているアプリケーションデータファイルについての関連付けテーブル１１００中のデータは関連付けテーブル１１００から削除するにＣＰＵ２０１は制御することになる。
【０１１６】
本発明によれば、アプリケーションデータの作成時にＯＳの表示色設定を表示色情報として保存し、保存された表示色情報を当該アプリケーションデータと関連付けて管理しているので、アプリケーションデータが開かれる際に関連付けられている表示色情報をＯＳの表示色設定として適用することで、当該アプリケーションデータの作成時の表示色設定を再現することが可能となり、文字や線の視認性が悪くなってしまうという問題を公的に防ぐことが可能となる。
【０１１７】
また、アプリケーションデータが移動・コピーや電子メール等で他のコンピュータに送信される場合には、アプリケーションデータに関連付けられている表示色情報もあわせて送信されることになるので、アプリケーションデータの受信先のコンピュータで当該ファイルが開かれた場合に、表示色情報をＯＳの表示色設定として適用することで、当該アプリケーションデータの作成時の表示色設定を再現することが可能となり、文字や線の視認性が悪くなってしまうという問題を公的に防ぐことが可能となる。
【０１１８】
以上のように、前述した実施形態の機能を実現するソフトウェアのプログラムコードを記録した記録媒体を、システムあるいは装置に供給し、そのシステムあるいは装置のコンピュータ（またはＣＰＵやＭＰＵ）が記録媒体に格納されたプログラムコードを読出し実行することによっても、本発明の目的が達成されることは言うまでもない。
【０１１９】
この場合、記録媒体から読み出されたプログラムコード自体が本発明の新規な機能を実現することになり、そのプログラムコードを記憶した記録媒体は本発明を構成することになる。
【０１２０】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【０１２１】
プログラムコードを供給するための記録媒体としては、例えば、ＲＡＭ，ＮＶ−ＲＡＭ，フレキシブルディスク，磁気ディスク，光ディスク，光磁気ディスク，ＣＤ−ＲＯＭ，ＣＤ−Ｒ，ＣＤ−ＲＷ，ＤＶＤ（ＤＶＤ−ＲＯＭ、ＤＶＤ−ＲＡＭ、ＤＶＤ−ＲＷ、ＤＶＤ＋ＲＷ），磁気テープ，不揮発性のメモリカード，ＲＯＭ，ＥＥＰＲＯＭ，シリコンディスク等の上記プログラムを記憶できるものであればよい。
【０１２２】
さらに、上記プログラムは、インターネット、商用ネットワーク、若しくはローカルエリアネットワーク等に接続される不図示の他のコンピュータやデータベース等からダウンロードすることにより供給されるものであってもよい。
【０１２３】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１２４】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１２５】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウェアによって表されるプログラムを格納した記録媒体を該システムあるいは装置に読み出すことによって、そのシステムあるいは装置が、本発明の効果を享受することが可能となる。
【０１２６】
さらに、本発明を達成するためのソフトウェアによって表されるプログラムをネットワーク上のサーバ，データベース等から通信プログラムによりダウンロードして読み出すことによって、そのシステムあるいは装置が、本発明の効果を享受することが可能となる。
【図面の簡単な説明】
【０１２７】
【図１】本発明の情報処理システムの一例を示す図である。
【図２】本発明の情報処理装置のハードウェア構成の一例を示す図である。
【図３】本発明の情報処理装置の機能構成の一例を示す図である。
【図４】本発明の情報処理装置が行う処理の概要を示すフローチャートである。
【図５】本発明の情報処理装置が「ファイル保存」指示を受けた場合に行う処理の詳細を示すフローチャートである。
【図６】本発明の情報処理装置が「ファイルを開く」指示を受けた場合に行う処理の詳細を示すフローチャートである。
【図７】本発明の情報処理装置が「印刷プレビュー」指示を受けた場合に行う処理の詳細を示すフローチャートである。
【図８】本発明の情報処理装置が「アクティブウィンドウの変更」指示を受けた場合に行う処理の詳細を示すフローチャートである。
【図９】本発明の情報処理装置が「ファイルの移動・コピー」指示を受けた場合に行う処理の詳細を示すフローチャートである。
【図１０】本発明の情報処理装置が「電子メールの送信」指示を受けた場合に行う処理の詳細を示すフローチャートである。
【図１１】本発明の関連付けテーブルの一例を示す図である。
【図１２】本発明のウィンドウ管理テーブルの一例を示す図である。
【図１３】本発明の課題を説明するための図である。
【符号の説明】
【０１２８】
１０１−１、１０１−２  情報処理装置
１０２  ネットワーク
１０３  広域ネットワーク
１０４  外部端末
２０１  ＣＰＵ
２０２  ＲＡＭ
２０３  ＲＯＭ
２０４  ＨＤＤ（ハードディスクドライブ）
２０５  記録媒体ドライブ
２０６  ネットワークＩ／Ｆ（インタフェース）
２０７  キーボード
２０８  ポインティングデバイス
２０９  ビデオＩ／Ｆ（インタフェース）
２１０  ディスプレイ装置
２１１  外部機器Ｉ／Ｆ（インタフェース）
２１２  システムバス
【図１】
2009157464.tif 000003
【図２】
2009157464.tif 000004
【図３】
2009157464.tif 000005
【図４】
2009157464.tif 000006
【図５】
2009157464.tif 000007
【図６】
2009157464.tif 000008
【図７】
2009157464.tif 000009
【図８】
2009157464.tif 000010
【図９】
2009157464.tif 000011
【図１０】
2009157464.tif 000012
【図１１】
2009157464.tif 000013
【図１２】
2009157464.tif 000014
【図１３】
2009157464.tif 000015